(57)【要約】【課題】ウェブ搬送装置及び輪転印刷機において、印刷が施されたウェブに対して安定した搬送力を付与することでこのウェブを適正に折機に搬送可能とする。【解決手段】駆動モータ７１，７２により駆動回転可能に設けられて複数のウェブＷを集約すると共に挟持して搬送する一対の第１ドラグローラ６２，６３と、この一対の第１ドラグローラ６２，６３よりウェブ搬送方向の下流側に駆動モータ７３により駆動回転可能に設けられて複数のウェブＷを搬送する第２ドラグローラ６４とを設ける。【選択図】      図１
2009132475.tif 000002
【特許請求の範囲】
【請求項１】
印刷が施された複数のウェブを折機に搬送するウェブ搬送装置において、
駆動回転可能に設けられて複数のウェブを集約すると共に挟持して搬送する一対の第１搬送ローラと、
該一対の第１搬送ローラよりウェブ搬送方向の下流側に駆動回転可能に設けられて複数のウェブを搬送する第２搬送ローラと、
を備えることを特徴とするウェブ搬送装置。
【請求項２】
前記一対の第１搬送ローラのいずれか一方の外周面にウェブを所定角度巻き付ける巻き付け角度が設定されることを特徴とする請求項１に記載のウェブ搬送装置。
【請求項３】
前記一対の第１搬送ローラから前記第２搬送ローラを経て前記折機側に搬送されるウェブの搬送経路が直線状に設定されることを特徴とする請求項１または２に記載のウェブ搬送装置。
【請求項４】
前記第２搬送ローラの外周面にウェブを所定角度巻き付ける巻き付け角度が設定されることを特徴とする請求項１または２に記載のウェブ搬送装置。
【請求項５】
前記一対の第１搬送ローラをそれぞれ独立して駆動可能な駆動手段と、複数のウェブの搬送状態に応じて前記駆動手段により前記一対の第１搬送ローラの回転速度を調整制御可能な制御手段とを有することを特徴とする請求項１から４のいずれか一つに記載のウェブ搬送装置。
【請求項６】
印刷が施された複数のウェブを折機に搬送するウェブ搬送装置において、
回転自在に設けられて複数のウェブを集約すると共に走行をガイドするガイドローラと、
該ガイドローラよりウェブ搬送方向の下流側に駆動回転可能に設けられて複数のウェブを挟持して搬送する一対の第１搬送ローラと、
該一対の第１搬送ローラよりウェブ搬送方向の下流側に駆動回転可能に設けられて複数のウェブを搬送する第２搬送ローラと、
を備えることを特徴とするウェブ搬送装置。
【請求項７】
前記ガイドローラは、外周面にウェブを所定角度巻き付ける巻き付け角度が設定されることを特徴とする請求項６に記載のウェブ搬送装置。
【請求項８】
前記ガイドローラから前記一対の第１搬送ローラ及び前記第２搬送ローラを経て前記折機側に搬送されるウェブの搬送経路が直線状に設定されることを特徴とする請求項６または７に記載のウェブ搬送装置。
【請求項９】
前記第２搬送ローラの外周面にウェブを所定角度巻き付ける巻き付け角度が設定されることを特徴とする請求項６または７に記載のウェブ搬送装置。
【請求項１０】
前記一対の第１搬送ローラのいずれか一方の外周面にウェブを所定角度巻き付ける巻き付け角度が設定されることを特徴とする請求項６から９のいずれか一つに記載のウェブ搬送装置。
【請求項１１】
前記一対の第１搬送ローラをそれぞれ独立して駆動可能な駆動手段と、複数のウェブの搬送状態に応じて前記駆動手段により前記一対の第１搬送ローラの回転速度を調整制御可能な制御手段とを有することを特徴とする請求項６から１０のいずれか一つに記載のウェブ搬送装置。
【請求項１２】
巻取紙からウェブを供給する給紙装置と、
該給紙装置から繰り出されたウェブに印刷を行う印刷ユニットと、
該印刷ユニットにより印刷が施された複数のウェブを重ねて裁断して折り曲げることで折帳を形成する折機と、
前記印刷ユニットにより印刷が施された複数のウェブを重ねて前記折機に搬送するウェブ搬送装置とを備える輪転印刷機において、
前記ウェブ搬送装置は、
駆動回転可能に設けられて複数のウェブを集約すると共に挟持して搬送する一対の第１搬送ローラと、
該一対の第１搬送ローラよりウェブ搬送方向の下流側に駆動回転可能に設けられて複数のウェブを搬送する第２搬送ローラと、
を有することを特徴とする輪転印刷機。
【請求項１３】
巻取紙からウェブを供給する給紙装置と、
該給紙装置から繰り出されたウェブに印刷を行う印刷ユニットと、
該印刷ユニットにより印刷が施された複数のウェブを重ねて裁断して折り曲げることで折帳を形成する折機と、
前記印刷ユニットにより印刷が施された複数のウェブを重ねて前記折機に搬送するウェブ搬送装置とを備える輪転印刷機において、
前記ウェブ搬送装置は、
回転自在に設けられて複数のウェブを集約すると共に走行をガイドするガイドローラと、
該ガイドローラよりウェブ搬送方向の下流側に駆動回転可能に設けられて複数のウェブを挟持して搬送する一対の第１搬送ローラと、
該一対の第１搬送ローラよりウェブ搬送方向の下流側に駆動回転可能に設けられて複数のウェブを搬送する第２搬送ローラと、
を有することを特徴とする輪転印刷機。
【発明の詳細な説明】
【技術分野】
【０００１】
本発明は、印刷ユニットにより印刷が施されたウェブを折機に搬送するウェブ搬送装置、並びに、このウェブ搬送装置が適用された輪転印刷機に関するものである。
【背景技術】
【０００２】
一般的な新聞用オフセット輪転印刷機は、複数の給紙装置と、複数の印刷ユニットと、ターンバー装置と、折機とから構成されており、各給紙装置から印刷ユニットにウェブが供給されると、各ウェブに対して印刷が施され、ターンバー装置で複数のウェブの走行ルートが変更されてから所定の順番に重ね合わされた後、折機にて、ウェブが縦折りされてから所定の長さで横裁断され、横折されることで折帳が形成され、排紙される。
【０００３】
このような新聞用オフセット輪転印刷機において、上述したように、印刷が施された複数のウェブは、ターンバー装置により走行ルートが変更され、重ね合わされた状態で折機に搬送され、ここで、縦折りされてから横折されることで折帳が形成される。従来から、ターンバー装置と折機との間に、重ね合わされた複数のウェブを折機に適正に搬送するための搬送装置が設けられている。
【０００４】
このウェブ搬送装置は、駆動回転可能なドラグローラと自由回転可能なワリスとからなる一対のドラグローラ組がウェブの搬送方向に沿って２組設けられて構成されている。即ち、印刷が施された複数のウェブは、ターンバー装置により走行ルートが変更されて重ね合わされ、第１ドラグローラにて、重ね合わされた複数のウェブにおける一方の面側が所定角度巻き付けられて搬送され、第２ドラグローラにて、重ね合わされた複数のウェブにおける他方の面側が所定角度巻き付けられて折機に搬送される。
【０００５】
ところが、各ドラグローラの外周面に巻き付けられた複数のウェブでは、内側を走行するウェブの速度に対して、外側を走行するウェブの速度が速いものとなっている。そのため、第１ドラグローラにより搬送された複数のウェブは、内側を走行するウェブに対して、外側を走行するウェブが高速となり、この状態で第２ドラグローラに搬送されると、低速で搬送されるウェブが第２ドラグローラでは外側となることから、ここでウェブが延ばされ、一方、高速で搬送されるウェブが第２ドラグローラでは内側となることから、ここで弛みが発生し、ウェブが損傷してしまうおそれがある。
【０００６】
そこで、２つのドラグローラ組の間に引張ローラ組を設けることでウェブを適正に搬送するようにしたものが、例えば、下記特許文献１に記載されている。この特許文献１に記載された縦折りフォーマへの複層ウェブリボン進入装置は、複層ウェブリボン走行方向に互いに間隔をおいて配置されていて、同一平面上でかまたは異なった平面上で複層ウェブリボンに対して作用するように駆動されるフォーマ遠位ガイドローラとフォーマ近位ガイドローラを設け、フォーマ遠位ガイドローラとフォーマ近位ガイドローラ間に、少なくとも１組の引張りロール組を設け、複層ウェブリボンをフォーマ近位ガイドローラに角度αで、またフォーマ遠位ガイドローラに角度βで部分的に巻掛けたものである。
【０００７】
【特許文献１】特許第２５８９９５８号公報
【発明の開示】
【発明が解決しようとする課題】
【０００８】
上述した従来の縦折りフォーマへの複層ウェブリボン進入装置では、フォーマ遠位ガイドローラとフォーマ近位ガイドローラの間に１組の引張りロール組を設けており、フォーマ遠位ガイドローラとフォーマ近位ガイドローラと引張りロール組の引張りロール及び引張りローラを全て駆動するようにしている。そのため、フォーマ遠位ガイドローラにより搬送された複層ウェブリボンは、内側を走行するウェブリボンに対して、外側を走行するウェブリボンが高速となり、この状態で引張りロール組に搬送されると、低速で搬送されるウェブリボンが引張りローラ側に進入し、一方、高速で搬送されるウェブリボンが引張りロール側に進入することとなり、ここで弛みが発生しやすくなり、ウェブが損傷してしまうおそれがある。
【０００９】
本発明は上述した課題を解決するものであり、印刷が施されたウェブに対して安定した搬送力を付与することでこのウェブを適正に折機に搬送可能とするウェブ搬送装置及び輪転印刷機を提供することを目的とする。
【課題を解決するための手段】
【００１０】
上記の目的を達成するための請求項１の発明のウェブ搬送装置は、印刷が施されたウェブを折機に搬送するウェブ搬送装置において、駆動回転可能に設けられて複数のウェブを集約すると共に挟持して搬送する一対の第１搬送ローラと、該一対の第１搬送ローラよりウェブ搬送方向の下流側に駆動回転可能に設けられて複数のウェブを搬送する第２搬送ローラと、を備えることを特徴とするものである。
【００１１】
請求項２の発明のウェブ搬送装置では、前記一対の第１搬送ローラのいずれか一方の外周面にウェブを所定角度巻き付ける巻き付け角度が設定されることを特徴としている。
【００１２】
請求項３の発明のウェブ搬送装置では、前記一対の第１搬送ローラから前記第２搬送ローラを経て前記折機側に搬送されるウェブの搬送経路が直線状に設定されることを特徴としている。
【００１３】
請求項４の発明のウェブ搬送装置では、前記第２搬送ローラの外周面にウェブを所定角度巻き付ける巻き付け角度が設定されることを特徴としている。
【００１４】
請求項５の発明のウェブ搬送装置では、前記一対の第１搬送ローラをそれぞれ独立して駆動可能な駆動手段と、複数のウェブの搬送状態に応じて前記駆動手段により前記一対の第１搬送ローラの回転速度を調整制御可能な制御手段とを有することを特徴としている。
【００１５】
また、請求項６の発明のウェブ搬送装置は、印刷が施された複数のウェブを折機に搬送するウェブ搬送装置において、回転自在に設けられて複数のウェブを集約すると共に走行をガイドするガイドローラと、該ガイドローラよりウェブ搬送方向の下流側に駆動回転可能に設けられて複数のウェブを挟持して搬送する一対の第１搬送ローラと、該一対の第１搬送ローラよりウェブ搬送方向の下流側に駆動回転可能に設けられて複数のウェブを搬送する第２搬送ローラと、を備えることを特徴とするものである。
【００１６】
請求項７の発明のウェブ搬送装置では、前記ガイドローラは、外周面にウェブを所定角度巻き付ける巻き付け角度が設定されることを特徴としている。
【００１７】
請求項８の発明のウェブ搬送装置では、前記ガイドローラから前記一対の第１搬送ローラ及び前記第２搬送ローラを経て前記折機側に搬送されるウェブの搬送経路が直線状に設定されることを特徴としている。
【００１８】
請求項９の発明のウェブ搬送装置では、前記第２搬送ローラの外周面にウェブを所定角度巻き付ける巻き付け角度が設定されることを特徴としている。
【００１９】
請求項１０の発明のウェブ搬送装置では、前記一対の第１搬送ローラのいずれか一方の外周面にウェブを所定角度巻き付ける巻き付け角度が設定されることを特徴としている。
【００２０】
請求項１１の発明のウェブ搬送装置では、前記一対の第１搬送ローラをそれぞれ独立して駆動可能な駆動手段と、複数のウェブの搬送状態に応じて前記駆動手段により前記一対の第１搬送ローラの回転速度を調整制御可能な制御手段とを有することを特徴としている。
【００２１】
請求項１２の発明の輪転印刷機は、巻取紙からウェブを供給する給紙装置と、該給紙装置から繰り出されたウェブに印刷を行う印刷ユニットと、該印刷ユニットにより印刷が施された複数のウェブを重ねて裁断して折り曲げることで折帳を形成する折機と、前記印刷ユニットにより印刷が施された複数のウェブを重ねて前記折機に搬送するウェブ搬送装置とを備える輪転印刷機において、前記ウェブ搬送装置は、駆動回転可能に設けられて複数のウェブを集約すると共に挟持して搬送する一対の第１搬送ローラと、該一対の第１搬送ローラよりウェブ搬送方向の下流側に駆動回転可能に設けられて複数のウェブを搬送する第２搬送ローラと、を有することを特徴とするものである。
【００２２】
請求項１３の発明の輪転印刷機は、巻取紙からウェブを供給する給紙装置と、該給紙装置から繰り出されたウェブに印刷を行う印刷ユニットと、該印刷ユニットにより印刷が施された複数のウェブを重ねて裁断して折り曲げることで折帳を形成する折機と、前記印刷ユニットにより印刷が施された複数のウェブを重ねて前記折機に搬送するウェブ搬送装置とを備える輪転印刷機において、前記ウェブ搬送装置は、回転自在に設けられて複数のウェブを集約すると共に走行をガイドするガイドローラと、該ガイドローラよりウェブ搬送方向の下流側に駆動回転可能に設けられて複数のウェブを挟持して搬送する一対の第１搬送ローラと、該一対の第１搬送ローラよりウェブ搬送方向の下流側に駆動回転可能に設けられて複数のウェブを搬送する第２搬送ローラと、を有することを特徴とするものである。
【発明の効果】
【００２３】
請求項１の発明のウェブ搬送装置によれば、駆動回転可能に設けられて複数のウェブを集約すると共に挟持して搬送する一対の第１搬送ローラと、この一対の第１搬送ローラよりウェブ搬送方向の下流側に駆動回転可能に設けられてウェブを搬送する第２搬送ローラとを設けている。従って、印刷が施された複数のウェブは、駆動回転する一対の第１搬送ローラにより集約されると共に挟持されて搬送され、駆動回転する第２搬送ローラにより折機に搬送されることとなり、複数のウェブは、互いに駆動回転する第１搬送ローラにより適正に集約されると共に、所定の搬送力が付与されることで、安定して第２搬送ローラに送られることとなり、複数のウェブを適正に折機に搬送することができる。
【００２４】
請求項２の発明のウェブ搬送装置によれば、一対の第１搬送ローラのいずれか一方の外周面にウェブを所定角度巻き付ける巻き付け角度を設定するので、重ね合わされて走行する複数のウェブは、第１搬送ローラに巻き付けられることで、所定の搬送力を付与することができ、ウェブを安定して搬送することができると共に、その後、駆動回転する第２搬送ローラにより折機に搬送されることで、ウェブの引張りや弛みを抑制してウェブを適正に搬送することができる。
【００２５】
請求項３の発明のウェブ搬送装置によれば、一対の第１搬送ローラから第２搬送ローラを経て折機側に搬送されるウェブの搬送経路を直線状に設定するので、重ね合わされて走行する複数のウェブは、ほとんど走行速度差が発生せず、ウェブが引っ張られたり、弛んだりすることがなく、ウェブを適正に搬送することができる。
【００２６】
請求項４の発明のウェブ搬送装置によれば、第２搬送ローラの外周面にウェブを所定角度巻き付ける巻き付け角度を設定するので、重ね合わされて走行する複数のウェブは、第２搬送ローラに巻き付けられることで、所定の搬送力を付与することができ、ウェブを安定して搬送することができる。
【００２７】
請求項５の発明のウェブ搬送装置によれば、一対の第１搬送ローラをそれぞれ独立して駆動可能な駆動手段と、複数のウェブの搬送状態に応じて駆動手段により一対の第１搬送ローラの回転速度を調整制御可能な制御手段とを設けるので、一対の第１搬送ローラに製造誤差や組付誤差、または、外周面に摩耗が発生した場合であっても、制御手段が各駆動手段により各第１搬送ローラの回転速度をそれぞれ独立に調整することで、その周速を複数のウェブの搬送状態に応じて適正に調整することが可能となり、常時ウェブを適正に搬送することができる。
【００２８】
請求項６の発明のウェブ搬送装置によれば、回転自在に設けられて複数のウェブを集約すると共に走行をガイドするガイドローラと、このガイドローラよりウェブ搬送方向の下流側に駆動回転可能に設けられて複数のウェブを挟持して搬送する一対の第１搬送ローラと、この一対の第１搬送ローラよりウェブ搬送方向の下流側に駆動回転可能に設けられて複数のウェブを搬送する第２搬送ローラとを設けている。従って、印刷が施された複数のウェブは、ガイドローラにより適正に集約されると共にその走行がガイドされて一対の第１搬送ローラに至り、駆動回転する第１搬送ローラにより挟持されて搬送され、続いて、駆動回転する第２搬送ローラにより折機に搬送されることとなり、複数のウェブは、互いに駆動回転する第１搬送ローラにより挟持されて搬送力が付与されることで、安定して第２搬送ローラに送られることとなり、複数のウェブを適正に折機に搬送することができる。
【００２９】
請求項７の発明のウェブ搬送装置によれば、ガイドローラの外周面にウェブを所定角度巻き付ける巻き付け角度を設定するので、ガイドローラは、複数のウェブを適正に重ねると共に、このウェブの走行に伴って連れ回りすることで、重ね合わされた複数のウェブを適正にガイドして搬送することができる。
【００３０】
請求項８の発明のウェブ搬送装置によれば、ガイドローラから一対の第１搬送ローラ及び第２搬送ローラを経て折機側に搬送されるウェブの搬送経路を直線状に設定するので、重ね合わされて走行する複数のウェブは、ほとんど走行速度差が発生せず、ウェブが引っ張られたり、弛んだりすることがなく、ウェブを適正に搬送することができる。
【００３１】
請求項９の発明のウェブ搬送装置によれば、第２搬送ローラの外周面にウェブを所定角度巻き付ける巻き付け角度を設定するので、重ね合わされて走行する複数のウェブは、第２搬送ローラに巻き付けられることで、所定の搬送力を付与することができ、ウェブを安定して搬送することができる。
【００３２】
請求項１０の発明のウェブ搬送装置によれば、一対の第１搬送ローラのいずれか一方の外周面にウェブを所定角度巻き付ける巻き付け角度を設定するので、重ね合わされて走行する複数のウェブは、第１搬送ローラに巻き付けられることで、所定の搬送力を付与することができ、ウェブを安定して搬送することができると共に、その後、駆動回転する第２搬送ローラにより折機に搬送されることで、ウェブの引張りや弛みを抑制してウェブを適正に搬送することができる。
【００３３】
請求項１１の発明のウェブ搬送装置によれば、一対の第１搬送ローラをそれぞれ独立して駆動可能な駆動手段と、複数のウェブの搬送状態に応じて駆動手段により前記一対の第１搬送ローラの回転速度を調整制御可能な制御手段とを設けるので、一対の第１搬送ローラに製造誤差や組付誤差、または、外周面に摩耗が発生した場合であっても、制御手段が各駆動手段により各第１搬送ローラの回転速度をそれぞれ独立に調整することで、その周速を複数のウェブの搬送状態に応じて適正に調整することが可能となり、常時ウェブを適正に搬送することができる。
【００３４】
請求項１２の発明の輪転印刷機によれば、給紙装置と印刷ユニットと折機と印刷ユニットから複数のウェブを重ねて折機に搬送するウェブ搬送装置とを設けて構成し、ウェブ搬送装置として、駆動回転可能に設けられて複数のウェブを集約すると共に挟持して搬送する一対の第１搬送ローラと、一対の第１搬送ローラよりウェブ搬送方向の下流側に駆動回転可能に設けられて複数のウェブを搬送する第２搬送ローラとを設けている。従って、印刷ユニットにより印刷が施された複数のウェブは、重ねられた状態で、駆動回転する一対の第１搬送ローラにより集約されると共に挟持されて搬送され、駆動回転する第２搬送ローラにより折機に搬送されることとなり、複数のウェブは、互いに駆動回転する第１搬送ローラにより適正に集約されると共に、所定の搬送力が付与されることで、安定して第２搬送ローラに送られることとなり、複数のウェブを適正に折機に搬送することができ、その結果、印刷品質を向上することができる。
【００３５】
請求項１３の発明の輪転印刷機によれば、給紙装置と印刷ユニットと折機と印刷ユニットから複数のウェブを重ねて折機に搬送するウェブ搬送装置とを設けて構成し、ウェブ搬送装置として、複数のウェブを集約すると共にその走行をガイドするガイドローラと、ガイドローラよりウェブ搬送方向の下流側に駆動回転可能に設けられて複数のウェブを挟持して搬送する一対の第１搬送ローラと、一対の第１搬送ローラよりウェブ搬送方向の下流側に駆動回転可能に設けられて複数のウェブを搬送する第２搬送ローラとを設けている。従って、印刷ユニットにより印刷が施された複数のウェブは、重ねられた状態でガイドローラにより集約されると共にその走行がガイドされて一対の第１搬送ローラに至り、駆動回転する第１搬送ローラにより挟持されて搬送され、続いて、駆動回転する第２搬送ローラにより折機に搬送されることとなり、複数のウェブは、互いに駆動回転する第１搬送ローラにより挟持されて搬送力が付与されることで、安定して第２搬送ローラに送られることとなり、複数のウェブを適正に折機に搬送することができ、その結果、印刷品質を向上することができる。
【発明を実施するための最良の形態】
【００３６】
以下に添付図面を参照して、本発明に係るウェブ搬送装置及び輪転印刷機の好適な実施例を詳細に説明する。なお、この実施例により本発明が限定されるものではない。
【実施例１】
【００３７】
図１は、本発明の実施例１に係るウェブ搬送装置におけるロール構成を表す概略図、図２は、実施例１のウェブ搬送装置を表す斜視図、図３は、実施例１のウェブ搬送装置が適用された新聞用オフセット輪転印刷機を表す概略図である。
【００３８】
本実施例において、図３に示すように、輪転印刷機として適用された新聞用オフセット輪転印刷機は、複数の給紙装置１１と、複数の印刷ユニット１２と、ターンバー装置１３と、ウェブ搬送装置１４と、折機１５とから構成されている。そして、各給紙装置１１には、それぞれウェブＷがロール状に巻かれた３つの巻取紙Ｒを保持する保持アーム１６が設けられ、この保持アーム１６を回動することで、巻取紙Ｒを給紙位置に回動することができる。また、この各給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継することができる。
【００３９】
また、印刷ユニット１２には、両面４色印刷を行う多色刷印刷ユニット１７と、両面２色印刷を行う２色刷印刷ユニットと１８とが設けられている。この多色刷印刷ユニットと１７及び２色刷印刷ユニット１８は、各給紙装置１１から供給されたウェブＷに対して所定の印刷を行うことができる。なお、本実施例では、印刷ユニット１２を、多色刷印刷ユニットと１７と２色刷印刷ユニット１８により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００４０】
また、ターンバー装置１３には、図示しない複数のターンバーが設けられており、各印刷ユニットと１７，１８から送り出された各ウェブＷの走行ルートを変更し、所定の順番に重ね合わせることができる。ウェブ搬送装置１４は、ターンバー装置１３から送り出された複数のウェブＷを重ね合わせて折機１５に搬送するものである。折機１４は、ウェブ搬送装置１４により搬送されたウェブＷを縦折りし、所定の長さで横裁断し、更に横折りして所望の折帳を形成した後に排紙するものである。
【００４１】
ここで、上述したウェブ搬送装置１４について詳細に説明する。
【００４２】
ウェブ搬送装置１４は、図１及び図２に示すように、駆動回転可能に設けられて複数のウェブＷを集約すると共に挟持して搬送する一対の第１ドラグローラ（第１搬送ローラ）６２，６３と、この一対の第１ドラグローラ６２，６３よりウェブ搬送方向の下流側に駆動回転可能に設けられて複数のウェブＷを搬送する第２ドラグローラ（第２搬送ローラ）６４とを有している。
【００４３】
即ち、ウェブ搬送方向の最上流側には、上述したターンバー装置１３で所定の順番に重ね合わされた複数のウェブＷを集約すると共に挟持して搬送する一対の第１ドラグローラ６２，６３が設けられている。そして、この第１ドラグローラ６２，６３よりウェブ搬送方向の下流側には、ウェブＷを搬送する第２ドラグローラ６４が設けられており、この第２ドラグローラ６４に対向して、第２ドラグローラ６４と共にウェブＷを挟持する複数のワリス６５が設けられている。
【００４４】
そして、この第２ドラグローラ６４及びワリス６５よりウェブ搬送方向の下流側には、ウェブＷの縦折りを行う三角板６６が設けられ、その下方には、一対のリードインローラ６７，６８、一対のニッピングローラ６９，７０が設けられている。
【００４５】
第１ドラグローラ６２は、図示しないフレームに回転自在に支持されており、外周面が複数重ね合わされたウェブＷの上面側に接触する。一方、第１ドラグローラ６３は、図示しないフレームに回転自在に支持されており、外周面が複数重ね合わされたウェブＷの下面側に接触する。この場合、第１ドラグローラ６３は、第１ドラグローラ６２に対して接近離反自在に支持されると共に、図示しないエアシリンダ（または、ばね部材）などの押圧装置により外周面が第１ドラグローラ６２の外周面に押圧可能となっている。そのため、この第１ドラグローラ６２と第１ドラグローラ６３により複数重ね合わされたウェブＷを挟持して搬送することができる。
【００４６】
また、第２ドラグローラ６４は、図示しないフレームに回転自在に支持されており、外周面が複数重ね合わされたウェブＷの下面側に接触する。一方、複数のワリス６５は、図示しないフレームに回転自在に支持されており、外周面が複数重ね合わされたウェブＷの上面側に接触する。この場合、ワリス６５は、第２ドラグローラ６４に対して接近離反自在に支持されると共に、図示しないエアシリンダ（または、ばね部材）などの押圧装置により外周面が第２ドラグローラ６４の外周面に押圧可能となっている。そのため、この第２ドラグローラ６４とワリス６５により複数重ね合わされたウェブＷを挟持して搬送することができる。
【００４７】
そして、一対の第１ドラグローラ６２，６３と第２ドラグローラ６４は、それぞれ独立した駆動系、つまり、別の駆動モータ７１，７２，７３により駆動回転可能となっている。そして、各駆動モータ７１，７２，７３は、制御装置７４により駆動制御可能となっており、制御装置７４は、各駆動モータ７１，７２，７３の回転速度を制御することで、第１ドラグローラ６２，６３及び第２ドラグローラ６４の回転速度を調整することができる。なお、第１ドラグローラ６２，６３及び第２ドラグローラ６４は、その材質が硬質（メタル）素材であり、表面に摩擦力を高める加工（例えば、ダイヤモンド粉末の電着塗装）が施されており、ローラ表面が磨耗することなく、ウェブ挟持力を増すことができると共に、安定したウェブ挟持力を維持することができる。
【００４８】
また、一対の第１ドラグローラ６２，６３から第２ドラグローラ６４及びワリス６５を経て折機１５側に搬送されるウェブの搬送経路が直線状に設定されている。
【００４９】
従って、このよう構成された本実施例の新聞用オフセット輪転印刷機では、図３に示すように、まず、各給紙装置１１から印刷ユニット１２を構成する多色刷印刷ユニットと１６や２色刷印刷ユニットと１７にウェブＷが供給されると、各印刷ユニットと１６，１７では、各ウェブＷに対して４色刷や２色刷が行われる。次に、各印刷ユニット１６，１７で印刷が施された複数のウェブＷは、ターンバー装置１３にて、走行ルートが変更されると共に、所定の順番に重ね合わせられる。そして、複数重ね合わされたウェブＷは、ウェブ搬送装置１４により折機１５に搬送される。この折機１５では、図２に示すように、三角板６６により縦折りが施された後、リードインローラ６７，６８、ニッピングローラ６９，７０により下方に送られ、図示しない折胴と鋸胴により横裁断され、一対の折込ローラにより挟持されることで折帳が形成され、羽根車により排紙コンベア上に排紙される。
【００５０】
この場合、印刷が施された複数のウェブＷは、ターンバー装置１３により走行ルートが変更されると共に、所定の順番に重ね合わせられてウェブ搬送装置１４に至る。このウェブ搬送装置１４では、図１及び図２に示すように、まず、重ね合わせられた複数のウェブＷが、駆動回転する一対の第１ドラグローラ６２，６３により集約されると共に挟持されて搬送され、次に、駆動回転する第２ドラグローラ６４と複数のワリス６５により挟持されて折機１５側に搬送される。
【００５１】
即ち、複数重ね合わせられたウェブＷは、まず、駆動回転する一対の第１ドラグローラ２２，２３の間に直接進入し、ここで、集約されてから両者に挟持されることで搬送力が付与され、次に、第２ドラグローラ６４とワリス６５との間に進入し、両者に挟持されることで搬送力が付与される。そのため、第１ドラグローラ６２，６３では、複数重ね合わせられたウェブＷに対して、ほぼ同一の搬送力が付与されて第２ドラグローラ６４に送られることとなり、この第２ドラグローラ６４とワリス６５との間で、ウェブＷに対して引張力作用したり、ウェブＷに弛みが発生することはない。
【００５２】
また、このとき、第１ドラグローラ６２，６３、第２ドラグローラ６４及びワリス６５を経て折機１５側に搬送されるウェブＷが、ほぼ直線状に搬送されることからも、ウェブＷに対する引張力の発生やウェブＷにおける弛みの発生が防止される。
【００５３】
更に、制御装置７４は、複数のウェブＷの走行状態に応じて駆動モータ７１，７２を制御し、各第１ドラグローラ６２，６３の回転速度を調整している。即ち、各第１ドラグローラ６２，６３の製造誤差や組付誤差、または、外周面の摩耗が発生した場合には、制御装置７４により各第１ドラグローラ６２，６３の回転速度を調整することで、その周速を同一に調整する。また、第１ドラグローラ６２，６３と第２ドラグローラ６４との間でウェブＷの弛みなどが発生した場合には、制御装置７４により各第１ドラグローラ６２，６３の回転速度を個別に調整することで、その周速が異なるように調整する。
【００５４】
このように実施例１のウェブ搬送装置にあっては、駆動回転可能に設けられて複数のウェブＷを集約すると共に挟持して搬送する一対の第１ドラグローラ６２，６３と、この一対の第１ドラグローラ６２，６３よりウェブ搬送方向の下流側に駆動回転可能に設けられて複数のウェブＷを搬送する第２ドラグローラ６４とを設けている。
【００５５】
従って、印刷が施された複数のウェブＷは、駆動モータ７１，７２により駆動回転する第１ドラグローラ６２，６３により集約されると共に挟持されて搬送され、次に、駆動モータ７４により駆動回転する第２ドラグローラ６４とワリス６５により挟持されて折機１５側に搬送されることとなり、ウェブＷは、互いに駆動回転する第１ドラグローラ６２，６３により挟持されて搬送力が付与されることで、安定して第２ドラグローラ６４に送られることとなり、複数のウェブＷを適正に折機に搬送することができる。
【００５６】
また、実施例１のウェブ搬送装置では、第１ドラグローラ６２，６３から第２ドラグローラ６４及びワリス６５を経て折機１５側に搬送されるウェブＷの搬送経路を直線状に設定している。従って、重ね合わされて走行する複数のウェブＷは、ほとんど走行速度差が発生せず、ウェブＷが引っ張られたり、弛んだりすることがなく、ウェブＷを適正に搬送することができる。
【００５７】
また、実施例１のウェブ搬送装置では、各第１ドラグローラ６２，６３をそれぞれ独立した駆動モータ７１，７２により駆動回転可能とし、制御装置７４により調整制御可能としている。従って、各第１ドラグローラ６２，６３に製造誤差や組付誤差、または、外周面に摩耗が発生した場合、第１ドラグローラ６２，６３と第２ドラグローラ６４との間でウェブＷの弛みが発生した場合であっても、制御装置７４により各第１ドラグローラ６２，６３の回転速度を独立に調整することで、その周速を適正にすることが可能となり、常時ウェブＷを適正に搬送することができる。
【００５８】
更に、実施例１のウェブ搬送装置では、第１ドラグローラ６２に対して、外周面にウェブＷを所定角度巻き付ける巻き付け角度αを設定している。従って、第１ドラグローラ６２は、複数のウェブＷを適正に重ね合わせることができると共に、このウェブＷに搬送力を付与することで、重ね合わされた複数のウェブＷを安定して搬送することができる。
【実施例２】
【００５９】
図４は、本発明の実施例２に係るウェブ搬送装置におけるロール構成を表す概略図である。なお、前述した実施例で説明したものと同様の機能を有する部材には同一の符号を付して重複する説明は省略する。
【００６０】
実施例２において、図４に示すように、ウェブ搬送装置８１は、駆動回転可能に設けられて複数のウェブＷを集約すると共に挟持して搬送する一対の第１ドラグローラ（第１搬送ローラ）６２，６３と、この一対の第１ドラグローラ６２，６３よりウェブ搬送方向の下流側に駆動回転可能に設けられて複数のウェブＷを搬送する第２ドラグローラ（第２搬送ローラ）６４とを有し、第２ドラグローラ６４の外周面にウェブＷを所定角度巻き付ける巻き付け角度βが設定されている。
【００６１】
従って、印刷が施された複数のウェブＷは、所定の順番に重ね合わせられてウェブ搬送装置８１に至る。このウェブ搬送装置８１では、まず、重ね合わせられた複数のウェブＷが、駆動回転する一対の第１ドラグローラ６２，６３により集約されると共に挟持されて搬送され、次に、駆動回転する第２ドラグローラ６４と複数のワリス６５により挟持されて折機側に搬送される。
【００６２】
即ち、複数重ね合わせられた複数のウェブＷは、互いに駆動回転する一対の第１ドラグローラ６２，６３の間に直接進入し、集約されてから両者に挟持されることで搬送力が付与され、次に、第２ドラグローラ６４とワリス６５との間に進入し、両者に挟持されることで搬送力が付与される。そのため、第１ドラグローラ６２，６３では、複数重ね合わせられたウェブＷに対して、ほぼ同一の搬送力が付与されて第２ドラグローラ６４に送られることとなり、この第２ドラグローラ６４とワリス６５との間で、ウェブＷに対して引張力作用したり、ウェブＷに弛みが発生することはない。
【００６３】
また、このとき、第２ドラグローラ６４の外周面にウェブを所定角度巻き付ける巻き付け角度βが設定されており、重ね合わされて走行する複数のウェブＷは、この第２ドラグローラ６４に巻き付けられることで、所定の搬送力が付与され、ウェブＷが安定して搬送される。
【００６４】
更に、制御装置７４は、複数のウェブＷの走行状態に応じて駆動モータ７１，７２を制御し、各第１ドラグローラ６２，６３の回転速度を調整している。即ち、各第１ドラグローラ６２，６３の製造誤差や組付誤差、または、外周面の摩耗が発生した場合には、制御装置７４により各第１ドラグローラ６２，６３の回転速度を調整することで、その周速を同一に調整する。また、第１ドラグローラ６２，６３と第２ドラグローラ６４との間でウェブＷの弛みなどが発生した場合には、制御装置７４により各第１ドラグローラ６２，６３の回転速度を個別に調整することで、その周速が異なるように調整する。
【００６５】
このように実施例２のウェブ搬送装置にあっては、駆動回転可能に設けられて複数のウェブＷを集約すると共に挟持して搬送する一対の第１ドラグローラ６２，６３と、この一対の第１ドラグローラ６２，６３よりウェブ搬送方向の下流側に駆動回転可能に設けられて複数のウェブＷを搬送する第２ドラグローラ６４とを設け、第２ドラグローラ６４の外周面にウェブを所定角度巻き付ける巻き付け角度βを設定している。
【００６６】
従って、印刷が施されて重ね合わされた複数のウェブＷは、互いに駆動回転する第１ドラグローラ６２，６３により集約されると共に直接挟持されて搬送され、次に、駆動回転する第２ドラグローラ６４とワリス６５により挟持されると共に、この第２ドラグローラ６４に巻き付けられることで、所定の搬送力が付与されて折機側に搬送されることとなり、ウェブＷを安定して折機に搬送することができる。
【実施例３】
【００６７】
図５は、本発明の実施例３に係るウェブ搬送装置におけるロール構成を表す概略図、実施例２のウェブ搬送装置を表す斜視図である。なお、前述した実施例で説明したものと同様の機能を有する部材には同一の符号を付して重複する説明は省略する。
【００６８】
実施例３において、図５及び図６に示すように、ウェブ搬送装置２０は、回転自在に支持されて複数のウェブＷを集約すると共に走行をガイドするガイドローラ２１と、このガイドローラ２１よりウェブ搬送方向の下流側に駆動回転可能に設けられて複数のウェブＷを挟持して搬送する一対の第１ドラグローラ（第１搬送ローラ）２２，２３と、この一対の第１ドラグローラ２２，２３よりウェブ搬送方向の下流側に駆動回転可能に設けられて複数のウェブＷを搬送する第２ドラグローラ（第２搬送ローラ）２４とを有している。
【００６９】
即ち、ウェブ搬送方向の最上流側には、上述したターンバー装置で所定の順番に重ね合わされた複数のウェブＷを集約すると共にその走行をガイドするガイドローラ２１が設けられている。このガイドローラ２１よりウェブ搬送方向の下流側には、複数のウェブＷを挟持して搬送する一対の第１ドラグローラ２２，２３が設けられている。そして、この第１ドラグローラ２２，２３よりウェブ搬送方向の下流側には、複数のウェブＷを搬送する第２ドラグローラ２４が設けられており、この第２ドラグローラ２４に対向して、第２ドラグローラ２４と共にウェブＷを挟持する複数のワリス２５が設けられている。
【００７０】
そして、この第２ドラグローラ２４及びワリス２５よりウェブ搬送方向の下流側には、ウェブＷの縦折りを行う三角板２６が設けられ、その下方には、一対のリードインローラ２７，２８、一対のニッピングローラ２９，３０が設けられている。
【００７１】
ガイドローラ２１は、図示しないフレームに自由回転自在に支持されており、外周面が複数重ね合わされたウェブＷの上面側に接触してこの複数のウェブＷを集約すると共に、その走行をガイドすることができる。また、ガイドローラ２１は、外周面にウェブＷを所定角度だけ巻き付ける巻き付け角度αが設定されている。そのため、印刷ユニット１２及びターンバー装置側から搬送される複数ウェブＷが、ガイドローラ２１の下側を接触しながら走行することで、このガイドローラ２１により各ウェブＷが重ね合わされるようにガイドされ、ガイドローラ２１は、このウェブＷの走行に伴って回転、つまり、連れ回りすることとなる。
【００７２】
また、第１ドラグローラ２２は、図示しないフレームに回転自在に支持されており、外周面が複数重ね合わされたウェブＷの上面側に接触する。一方、第１ドラグローラ２３は、図示しないフレームに回転自在に支持されており、外周面が複数重ね合わされたウェブＷの下面側に接触する。この場合、第１ドラグローラ２３は、第１ドラグローラ２２に対して接近離反自在に支持されると共に、図示しないエアシリンダ（または、ばね部材）などの押圧装置により外周面が第１ドラグローラ２２の外周面に押圧可能となっている。そのため、この第１ドラグローラ２２と第１ドラグローラ２３により複数重ね合わされたウェブＷを挟持して搬送することができる。
【００７３】
更に、第２ドラグローラ２４は、図示しないフレームに回転自在に支持されており、外周面が複数重ね合わされたウェブＷの下面側に接触する。一方、複数のワリス２５は、図示しないフレームに回転自在に支持されており、外周面が複数重ね合わされたウェブＷの上面側に接触する。この場合、ワリス２５は、第２ドラグローラ２４に対して接近離反自在に支持されると共に、図示しないエアシリンダ（または、ばね部材）などの押圧装置により外周面が第２ドラグローラ２４の外周面に押圧可能となっている。そのため、この第２ドラグローラ２４とワリス２５により複数重ね合わされたウェブＷを挟持して搬送することができる。
【００７４】
そして、一対の第１ドラグローラ２２，２３と第２ドラグローラ２４は、それぞれ独立した駆動系、つまり、別の駆動モータ３１，３２，３３により駆動回転可能となっている。そして、各駆動モータ３１，３２，３３は、制御装置３４により駆動制御可能となっており、制御装置３４は、各駆動モータ３１，３２，３３の回転速度を制御することで、第１ドラグローラ２２，２３及び第２ドラグローラ２４の回転速度を調整することができる。なお、第１ドラグローラ２２，２３及び第２ドラグローラ２４は、その材質が硬質（メタル）素材であり、表面に摩擦力を高める加工（例えば、ダイヤモンド粉末の電着塗装）が施されており、ローラ表面が磨耗することなく、ウェブ挟持力を増すことができると共に、安定したウェブ挟持力を維持することができる。
【００７５】
また、ガイドローラ２１から一対の第１ドラグローラ２２，２３、第２ドラグローラ２４及びワリス２５を経て折機１５側に搬送されるウェブの搬送経路が直線状に設定されている。
【００７６】
従って、印刷が施された複数のウェブＷは、所定の順番に重ね合わせられてウェブ搬送装置２０に至る。このウェブ搬送装置２０では、まず、重ね合わせられた複数のウェブＷは、ガイドローラ２１により集約されると共にその走行がガイドされ、次に、駆動回転する一対の第１ドラグローラ２２，２３により挟持されて搬送され、続いて、駆動回転する第２ドラグローラ２４と複数のワリス２５により挟持されて折機１５側に搬送される。
【００７７】
即ち、複数重ね合わせられたウェブＷは、連れ回りするガイドローラ２１に集約されると共にガイドされてから、互いに駆動回転する一対の第１ドラグローラ２２，２３の間に進入し、両者に挟持されることで搬送力が付与され、続いて、第２ドラグローラ２４とワリス２５との間に進入し、両者に挟持されることで搬送力が付与される。そのため、第１ドラグローラ２２，２３では、複数重ね合わせられたウェブＷに対して、ほぼ同一の搬送力が付与されて第２ドラグローラ２４に送られることとなり、この第２ドラグローラ２４とワリス２５との間で、ウェブＷに対して引張力作用したり、ウェブＷに弛みが発生することはない。
【００７８】
また、このとき、ガイドローラ２１から第１ドラグローラ２２，２３、第２ドラグローラ２４及びワリス２５を経て折機１５側に搬送されるウェブＷが、ほぼ直線状に搬送されることからも、ウェブＷに対する引張力の発生やウェブＷにおける弛みの発生が防止される。
【００７９】
更に、制御装置３４は、複数のウェブＷの走行状態に応じて駆動モータ３１，３２を制御し、各第１ドラグローラ２２，２３の回転速度を調整している。即ち、各第１ドラグローラ２２，２３の製造誤差や組付誤差、または、外周面の摩耗が発生した場合には、制御装置３４により各第１ドラグローラ２２，２３の回転速度を調整することで、その周速を同一に調整する。また、第１ドラグローラ２２，２３と第２ドラグローラ２４との間でウェブＷの弛みなどが発生した場合には、制御装置３４により各第１ドラグローラ２２，２３の回転速度を個別に調整することで、その周速が異なるように調整する。
【００８０】
このように実施例３のウェブ搬送装置にあっては、複数のウェブＷを集約すると共にその走行をガイドするガイドローラ２１と、このガイドローラ２１よりウェブ搬送方向の下流側に駆動回転可能に設けられて複数のウェブＷを挟持して搬送する一対の第１ドラグローラ２２，２３と、この一対の第１ドラグローラ２２，２３よりウェブ搬送方向の下流側に駆動回転可能に設けられて複数のウェブＷを搬送する第２ドラグローラ２４とを設けている。
【００８１】
従って、印刷が施された複数のウェブＷは、ガイドローラ２１により集約されると共に走行がガイドされて一対の第１ドラグローラ２２，２３に至り、駆動モータ３１，３２により駆動回転する第１ドラグローラ２２，２３により挟持されて搬送され、続いて、駆動モータ２４により駆動回転する第２ドラグローラ２４とワリス２５により挟持されて折機１５側に搬送されることとなり、ウェブＷは、互いに駆動回転する第１ドラグローラ２２，２３により挟持されて搬送力が付与されることで、安定して第２ドラグローラ２４に送られることとなり、このウェブＷを適正に折機に搬送することができる。
【００８２】
また、実施例３のウェブ搬送装置では、ガイドローラ２１から第１ドラグローラ２２，２３、第２ドラグローラ２４及びワリス２５を経て折機１５側に搬送されるウェブＷの搬送経路を直線状に設定している。従って、重ね合わされて走行する複数のウェブＷは、ほとんど走行速度差が発生せず、ウェブＷが引っ張られたり、弛んだりすることがなく、ウェブＷを適正に搬送することができる。
【００８３】
また、実施例３のウェブ搬送装置では、各第１ドラグローラ２２，２３をそれぞれ独立した駆動モータ３１，３２により駆動回転可能とし、制御装置３４により調整制御可能としている。従って、各第１ドラグローラ２２，２３に製造誤差や組付誤差、または、外周面に摩耗が発生した場合、第１ドラグローラ２２，２３と第２ドラグローラ２４との間でウェブＷの弛みが発生した場合であっても、制御装置３４により各第１ドラグローラ２２，２３の回転速度を独立に調整することで、その周速を適正にすることが可能となり、常時ウェブＷを適正に搬送することができる。
【００８４】
また、実施例３のウェブ搬送装置では、ガイドローラ２１に対して、外周面にウェブＷを所定角度巻き付ける巻き付け角度αを設定し、複数のウェブＷを重ねてガイド可能とすると共にウェブＷの走行に伴って連れ回り可能としている。従って、ガイドローラ２１は、複数のウェブＷを適正に重ね合わせることができると共に、このウェブＷの走行に伴って連れ回りすることで、重ね合わされた複数のウェブＷを適正にガイドして搬送することができる。
【実施例４】
【００８５】
図７は、本発明の実施例４に係るウェブ搬送装置におけるロール構成を表す概略図である。なお、前述した実施例で説明したものと同様の機能を有する部材には同一の符号を付して重複する説明は省略する。
【００８６】
実施例４において、図７に示すように、ウェブ搬送装置４１は、複数のウェブＷを集約すると共に走行をガイドするガイドローラ２１と、このガイドローラ２１よりウェブ搬送方向の下流側に駆動回転可能に設けられて複数のウェブＷを挟持して搬送する一対の第１ドラグローラ２２，２３と、この一対の第１ドラグローラ２２，２３よりウェブ搬送方向の下流側に駆動回転可能に設けられて複数のウェブＷを搬送する第２ドラグローラ２４とを有し、第２ドラグローラ２４の外周面にウェブＷを所定角度巻き付ける巻き付け角度βが設定されている。
【００８７】
従って、印刷が施された複数のウェブＷは、所定の順番に重ね合わせられてウェブ搬送装置４１に至る。このウェブ搬送装置４１では、まず、重ね合わせられた複数のウェブＷが、ガイドローラ２１により集約されると共にその走行がガイドされ、次に、駆動回転する一対の第１ドラグローラ２２，２３により挟持されて搬送され、続いて、駆動回転する第２ドラグローラ２４と複数のワリス２５により挟持されて折機側に搬送される。
【００８８】
即ち、複数重ね合わせられた複数のウェブＷは、連れ回りするガイドローラ２１により集約されると共にガイドされてから、互いに駆動回転する一対の第１ドラグローラ２２，２３の間に進入し、両者に挟持されることで搬送力が付与され、続いて、第２ドラグローラ２４とワリス２５との間に進入し、両者に挟持されることで搬送力が付与される。そのため、第１ドラグローラ２２，２３では、複数重ね合わせられたウェブＷに対して、ほぼ同一の搬送力が付与されて第２ドラグローラ２４に送られることとなり、この第２ドラグローラ２４とワリス２５との間で、ウェブＷに対して引張力作用したり、ウェブＷに弛みが発生することはない。
【００８９】
また、このとき、第２ドラグローラ２４の外周面にウェブを所定角度巻き付ける巻き付け角度βが設定されており、重ね合わされて走行する複数のウェブＷは、この第２ドラグローラ２４に巻き付けられることで、所定の搬送力が付与され、ウェブＷが安定して搬送される。
【００９０】
このように実施例４のウェブ搬送装置にあっては、複数のウェブＷを集約すると共にその走行をガイドするガイドローラ２１と、このガイドローラ２１よりウェブ搬送方向の下流側に駆動回転可能に設けられて複数のウェブＷを挟持して搬送する一対の第１ドラグローラ２２，２３と、この一対の第１ドラグローラ２２，２３よりウェブ搬送方向の下流側に駆動回転可能に設けられて複数のウェブＷを搬送する第２ドラグローラ２４とを設け、第２ドラグローラ２４の外周面にウェブを所定角度巻き付ける巻き付け角度βを設定している。
【００９１】
従って、印刷が施されて重ね合わされた複数のウェブＷは、ガイドローラ２１により集約された後、互いに駆動回転する第１ドラグローラ２２，２３により挟持されて搬送力が付与されることで、安定して第２ドラグローラ２４に送られ、この第２ドラグローラ２４に巻き付けられて所定の搬送力が付与されることで、ウェブＷを安定して搬送することができる。
【実施例５】
【００９２】
図８は、本発明の実施例５に係るウェブ搬送装置におけるロール構成を表す概略図である。なお、前述した実施例で説明したものと同様の機能を有する部材には同一の符号を付して重複する説明は省略する。
【００９３】
実施例５において、図８に示すように、ウェブ搬送装置５１は、複数のウェブＷを集約すると共にその走行をガイドするガイドローラ２１と、このガイドローラ２１よりウェブ搬送方向の下流側に駆動回転可能に設けられて複数のウェブＷを挟持して搬送する一対の第１ドラグローラ２２，２３と、この一対の第１ドラグローラ２２，２３よりウェブ搬送方向の下流側に駆動回転可能に設けられて複数のウェブＷを搬送する第２ドラグローラ２４とを有し、一方の第１ドラグローラ２３の外周面にウェブＷを所定角度巻き付ける巻き付け角度θが設定されている。
【００９４】
従って、印刷が施されたウェブＷは、所定の順番に重ね合わせられてウェブ搬送装置５１に至る。このウェブ搬送装置５１では、まず、重ね合わせられた複数のウェブＷが、ガイドローラ２１により雌雄訳されると共にその走行がガイドされ、次に、駆動回転する一対の第１ドラグローラ２２，２３により挟持されて搬送され、続いて、駆動回転する第２ドラグローラ２４と複数のワリス２５により挟持されて折機側に搬送される。
【００９５】
即ち、複数重ね合わせられたウェブＷは、連れ回りするガイドローラ２１に集約されると共にガイドされてから、互いに駆動回転する一対の第１ドラグローラ２２，２３の間に進入し、両者に挟持されることで搬送力が付与され、続いて、第２ドラグローラ２４とワリス２５との間に進入し、両者に挟持されることで搬送力が付与される。そのため、第１ドラグローラ２２，２３では、複数重ね合わせられたウェブＷに対して、ほぼ同一の搬送力が付与されて第２ドラグローラ２４に送られることとなり、この第２ドラグローラ２４とワリス２５との間で、ウェブＷに対して引張力作用したり、ウェブＷに弛みが発生することはない。
【００９６】
また、このとき、第１ドラグローラ２３の外周面にウェブを所定角度巻き付ける巻き付け角度θが設定されており、重ね合わされて走行する複数のウェブＷは、この第１ドラグローラ２３に巻き付けられることで、所定の搬送力が付与され、ウェブＷが安定して搬送されると共に、その後、駆動回転する第２ドラグローラ２４により折機側に搬送されることで、ウェブＷの引張りや弛みを抑制してウェブＷを適正に搬送することができる。
【００９７】
このように実施例５のウェブ搬送装置にあっては、複数のウェブＷを集約すると共にその走行をガイドするガイドローラ２１と、このガイドローラ２１によりウェブ搬送方向の下流側に駆動回転可能に設けられて複数のウェブＷを挟持して搬送する一対の第１ドラグローラ２２，２３と、この一対の第１ドラグローラ２２，２３よりウェブ搬送方向の下流側に駆動回転可能に設けられて複数のウェブＷを搬送する第２ドラグローラ２４とを設け、第１ドラグローラ２３の外周面にウェブを所定角度巻き付ける巻き付け角度θを設定している。
【００９８】
従って、印刷が施されて重ね合わされた複数のウェブＷは、ガイドローラ２１により集約されてから互いに駆動回転する第１ドラグローラ２２，２３により挟持されると共に、第１ドラグローラ２３の外周面に巻き付けられることで、所定の搬送力が付与されることとなり、ウェブＷを安定して搬送することができる。
【００９９】
なお、上述した各実施例では、第２ドラグローラ２４，６４を独立した駆動モータ３３，７３により駆動回転可能としたが、第１ドラグローラ２２，２３，６２，６３を駆動する駆動モータ３１，３２，７１，７２のいずれか一方により駆動可能としてもよい。
【産業上の利用可能性】
【０１００】
本発明に係るウェブ搬送装置及び輪転印刷機は、印刷が施されたウェブに対して安定した搬送力を付与することで、このウェブを適正に折機に搬送可能とするものであり、いずれのウェブ搬送装置または輪転印刷機にも適用することができる。
【図面の簡単な説明】
【０１０１】
【図１】本発明の実施例１に係るウェブ搬送装置におけるロール構成を表す概略図である。
【図２】実施例１のウェブ搬送装置を表す斜視図である。
【図３】実施例１のウェブ搬送装置が適用された新聞用オフセット輪転印刷機を表す概略図である。
【図４】本発明の実施例２に係るウェブ搬送装置におけるロール構成を表す概略図である。
【図５】実施例２のウェブ搬送装置を表す斜視図である。
【図６】本発明の実施例３に係るウェブ搬送装置におけるロール構成を表す概略図である。
【図７】本発明の実施例４に係るウェブ搬送装置におけるロール構成を表す概略図である。
【図８】本発明の実施例５に係るウェブ搬送装置におけるロール構成を表す概略図である。
【符号の説明】
【０１０２】
１１  給紙装置
１２  印刷ユニット
１３  ターンバー装置
１４，２０，４１，５１，８１  ウェブ搬送装置
１５  折機
２１  ガイドローラ
２２，２３，６２，６３  第１ドラグローラ（第１搬送ローラ）
２４，６４  第２ドラグローラ（第２搬送ローラ）
２５，６５  ワリス
３１，３２，３３，７１，７２，７３  駆動モータ（駆動手段）
３４，７４  制御装置（制御手段）
Ｗ  ウェブ
【図１】
2009132475.tif 000003
【図２】
2009132475.tif 000004
【図３】
2009132475.tif 000005
【図４】
2009132475.tif 000006
【図５】
2009132475.tif 000007
【図６】
2009132475.tif 000008
【図７】
2009132475.tif 000009
【図８】
2009132475.tif 000010